(57)【要約】【課題】両面読取可能な原稿読取部で読み取った画像を用紙上に形成する画像形成装置及び画像形成方法において、原稿読取部の画像読取位置が汚れている場合でもユーザが綺麗な出力結果を容易に得られるようにする。【解決手段】画像形成装置１は、原稿から読み取った画像を用紙上に画像形成するものであって、原稿の表面と裏面の画像を読み取る原稿読取部４と、該原稿読取部４の裏面の画像読取位置に汚れがあるか検知する汚れ検知部１０ｂと、原稿が片面原稿であり、該片面原稿から原稿読取部４によって裏面から画像が読取られ、原稿読取部４の裏面の画像読取位置に汚れがある場合、少なくとも、片面原稿の載置形態が誤っていること、及び、画像読取位置に汚れがあることを通知する通知情報を出力する情報出力部１０ｃと、を備える。【選択図】図１
2013092596.tif 000002
【特許請求の範囲】
【請求項１】
原稿から読み取った画像を用紙上に画像形成する画像形成装置であって、
前記原稿の表面と裏面の画像を読み取る原稿読取部と、
該原稿読取部の前記裏面の画像読取位置に汚れがあるか検知する汚れ検知部と、
前記原稿が片面原稿であり、該片面原稿から前記原稿読取部によって裏面から画像が読取られ、前記原稿読取部の裏面の画像読取位置に汚れがある場合、少なくとも、前記片面原稿の載置形態が誤っていること、及び、前記画像読取位置に汚れがあることを通知する通知情報を出力する情報出力部と、を備えることを特徴とする画像形成装置。
【請求項２】
前記通知情報の出力の際、読み取り動作及び画像形成動作を一時停止するものであって、
前記通知情報は、前記読み取り動作及び前記画像形成動作を継続するか否かの選択をユーザに促す情報を含むことを特徴とする請求項１に記載の画像形成装置。
【請求項３】
前記読み取り動作及び前記画像形成動作の継続がユーザにより選択指示された場合、前記原稿全体を読み取り、その後、最後に読み取った原稿の画像から順に画像形成することを特徴とする請求項１または２に記載の画像形成装置。
【請求項４】
片面原稿から読み取った画像を用紙上に画像形成する画像形成方法であって、
前記片面原稿の表面と裏面の画像を読み取る原稿読取ステップと、
前記片面原稿の裏面に画像が形成されているか否かを判定するステップと、
前記原稿読取ステップにおける前記裏面の画像読取位置に汚れがあるか検知する汚れ検知ステップと、
前記片面原稿の裏面に画像が形成されていると判定され、前記裏面の画像読取位置に汚れがあると判定された場合、少なくとも、前記片面原稿の載置形態が誤っていること、及び、前記画像読取位置に汚れがあることを通知する通知情報を出力する情報出力ステップと、を含むことを特徴とする画像形成方法。
【発明の詳細な説明】
【技術分野】
【０００１】
本発明は、両面読取可能な原稿読取部で読み取った画像を用紙上に形成する画像形成装置及び画像形成方法に関する。
【背景技術】
【０００２】
最近の画像形成装置は、原稿両面を同時に読み込み可能な読み取り速度が向上したスキャナを搭載しており、画像形成装置によるコピー処理実行時の印刷速度を高速化している。
しかしながら、このようなスキャナを搭載した画像形成装置が片面コピーを行なう場合、読み取り面を所定の方向にセットして原稿を読み取る必要があり、不慣れな利用者等が片面原稿の読み取り面の載置方向を誤ってコピーを開始すると、原稿の裏面の白紙を読み取って、大量の白紙コピーを行なってしまうという問題があった。
【０００３】
このような場合、コンビニエンスストア等にある有料の複写機や、会社の部門単位でコピーの費用請求（課金）がなされる複写機においては、白紙コピーであっても、課金されてしまい、無駄な費用が発生することとなる。
【０００４】
また、複写機の使用に慣れた利用者であっても、片面原稿の載置方向に統一された基準が無く、メーカーにより、また、同一メーカーであっても高速機、低速機などの機種により載置方向が異なることから、使用に慣れていない機種でコピーを行う際には、原稿の載置方向を誤る可能性がある。
【０００５】
そのため、特許文献１には、原稿の第１の面を読み取る第１面用読み取り部と、第２の面を読み取る第２面用読み取り部とを備え、片面原稿の表裏を判断し、画像のある面のみを選択して読み取る画像読取装置が開示されている。
【０００６】
また、特許文献２には、原稿の表面と裏面の情報を同時に読み取り、裏面に記載があるか否かを判断し、裏面に記載がある場合に裏面の情報を送信するファクシミリ装置が開示されている。
【０００７】
また、特許文献３には、原稿読み取りの原稿面指定が片面だった場合でも両面を読み取り、両面の画像データを含む画像ファイルを生成し、白紙以外の画像データを出力する画像処理装置が開示されている。
【０００８】
また、特許文献４には、片面原稿か両面原稿かを示す情報を原稿に形成しておき、原稿の読み取り時にその情報をセンサにより検出して、各原稿が片面原稿か両面原稿かを判別し、その判別結果に応じて原稿の画像を読み取る画像読取装置が開示されている。
【先行技術文献】
【特許文献】
【０００９】
【特許文献１】特開２００３−１２５１６８号公報
【特許文献２】特開平２−３９７６５号公報
【特許文献３】特開２００９−２２５０４２号公報
【特許文献４】特開２００５−３４１１８５号公報
【発明の概要】
【発明が解決しようとする課題】
【００１０】
しかしながら、特許文献１〜４には、原稿読取部の画像読取位置が汚れている場合の対処について何ら開示もされていない。
【００１１】
本発明は、上述のような実情を鑑み、両面読取可能な原稿読取部で読み取った画像を用紙上に形成する画像形成装置及び画像形成方法において、原稿読取部の画像読取位置が汚れている場合でもユーザが綺麗な出力結果を容易に得られるようにすることをその目的とする。
【課題を解決するための手段】
【００１２】
上記課題を解決するために、本発明の第１の技術手段は、原稿から読み取った画像を用紙上に画像形成する画像形成装置であって、前記原稿の表面と裏面の画像を読み取る原稿読取部と、該原稿読取部の前記裏面の画像読取位置に汚れがあるか検知する汚れ検知部と、前記原稿が片面原稿であり、該片面原稿から前記原稿読取部によって裏面から画像が読取られ、前記原稿読取部の裏面の画像読取位置に汚れがある場合、少なくとも、前記片面原稿の載置形態が誤っていること、及び、前記画像読取位置に汚れがあることを通知する通知情報を出力する情報出力部と、を備えることを特徴としたものである。
【００１３】
本発明の第２の技術手段は、第１の技術手段において、前記通知情報の出力の際、読み取り動作及び画像形成動作を一時停止するものであって、前記通知情報は、前記読み取り動作及び前記画像形成動作を継続するか否かの選択をユーザに促す情報を含むことを特徴としたものである。
【００１４】
本発明の第３の技術手段は、第１または第２の技術手段において、前記読み取り動作及び前記画像形成動作の継続がユーザにより選択指示された場合、前記原稿全体を読み取り、その後、最後に読み取った原稿の画像から順に画像形成することを特徴としたものである。
【００１５】
本発明の第４の技術手段は、片面原稿から読み取った画像を用紙上に画像形成する画像形成方法であって、前記片面原稿の表面と裏面の画像を読み取る原稿読取ステップと、前記片面原稿の裏面に画像が形成されているか否かを判定するステップと、前記原稿読取ステップにおける前記裏面の画像読取位置に汚れがあるか検知する汚れ検知ステップと、前記片面原稿の裏面に画像が形成されていると判定され、前記裏面の画像読取位置に汚れがあると判定された場合、少なくとも、前記片面原稿の載置形態が誤っていること、及び、前記画像読取位置に汚れがあることを通知する通知情報を出力する情報出力ステップと、を含むことを特徴としたものである。
【発明の効果】
【００１６】
本発明によれば、両面読取可能な原稿読取部の画像読取位置が汚れている場合でもユーザが容易に綺麗な出力結果を得ることができる。
【図面の簡単な説明】
【００１７】
【図１】本発明の画像形成装置の機能ブロックの一例を示す図である。
【図２】図１の画像形成装置の原稿読取部の機械的な構成の一例を示す図である。
【図３】片面原稿を載置する際の正しい原稿の向きについて説明する図である。
【図４】片面原稿の面の向きの判定方法の一例について説明する図である。
【図５】画像読取位置が汚れているか否かの判定方法の一例について説明する図である。
【図６】原稿の面の向きが間違っており裏面読取位置が汚れていることを知らせる通知情報の一例について説明する図である。
【図７】原稿の面の向きが間違っており裏面読取位置が汚れていることを知らせる通知情報の他の例について説明する図である。
【図８】図１の画像形成装置において片面原稿を読み取って片面印刷する処理の一例を示すフローチャートである。
【発明を実施するための形態】
【００１８】
図１は、本発明の画像形成装置の機能ブロックの一例を示す図である。図２は、図１の画像形成装置１の原稿読取部２の機械的な構成の一例を示す図である。
画像形成装置１は、図１に示すように、操作パネル部２、光学センサ部３、原稿読取部４、画像形成部５、給紙部６、排紙部７、画像処理部８、画像記憶部９、制御部１０を備える。
【００１９】
操作パネル部２は、操作ボタンやタッチパネルを備え、ユーザに対して種々の情報を表示するとともに、ユーザからの種々の情報の入力を受け付ける装置である。光学センサ部３は、原稿の有無や、原稿のサイズなどを検知する光学センサである。
【００２０】
原稿読取部４は、図２に示すように、透明ガラスからなる原稿載置台４０、原稿載置台
４０上へ自動的に原稿を搬送する原稿搬送部（両面対応自動原稿送り装置、ＲＡＤＦ）４１、原稿の第１の面の画像を読み取る第１の画像読取部４２、原稿の第２の面の画像を読み取る第２の画像読取部４３、後述の対向白板４８を備える。
【００２１】
原稿搬送部４１は、所定の原稿トレイ上に複数枚の原稿を一度にセットしておき、セットされた原稿を１枚ずつ自動的に原稿載置台４０上へ送給する装置である。
第１の画像読取部４２は、原稿面上を露光するランプリフレクタアセンブリと、原稿からの反射光像を電気的画像信号に変換する光電変換素子（ＣＣＤ）４６に導くための第１反射ミラーを搭載した第１走査ユニット４４、および、第２、第３反射ミラーを搭載した第２走査ユニット４５、反射光像をＣＣＤ４６上に結像するための光学レンズ体を備える。第１走査ユニット４４及び第２走査ユニット４５はそれぞれ、原稿載置台４０に沿った副走査方向に移動可能に構成されている。これにより、原稿載置台４０上に載置された原稿の画像を読み取ることができる。
【００２２】
また、原稿搬送部４１により送給された原稿の画像を読み取る際には、第１走査ユニット４４及び第２走査ユニット４５の位置は、所定のホームポジションに設定される。そして、第１の画像読取部４２は、原稿搬送部４１との関連した動作によって、原稿載置台４０上に読み取るべき原稿を順次載置させながら、原稿載置台４０上に載置された原稿の画像を１ライン毎に順次ＣＣＤ４６に結像させて、原稿画像を読み取る。
【００２３】
第２の画像読取部４３は、原稿面上を露光するランプリフレクタアセンブリと、原稿からの反射光像を電気的画像信号に変換する光電変換素子（ＣＣＤ）４７に導くための第１〜第４反射ミラー、反射光像をＣＣＤ４７上に結像するための光学レンズ体から構成される。
【００２４】
原稿搬送部４１により送給された原稿の画像を読み取る際には、第２の画像読取部４３は、原稿搬送部４１との関連した動作によって、原稿の画像を１ライン毎に順次ＣＣＤ４７に結像させて、原稿画像を読み取る。
対向白板４８は、第２の画像読取部４３の画像読取位置が汚れているか否かの判定に用いられる白板であり、画像読取位置に対向する位置に設けられている。
【００２５】
原稿画像を第１の画像読取部４２、第２の画像読取部４３で読み取ることにより得られた画像データは、各種処理が施された後、メモリに一旦記憶され、出力指示に応じてメモリから画像形成部５に出力されて用紙上に画像形成される。
【００２６】
ここで、この原稿読取部４には、片面原稿を載置する際の正しい原稿の向きが規定されているものとする。図３は、片面原稿を載置する際の正しい原稿の向きについて説明する図である。図３は、図２に示した原稿読取部４を上側から見た図であり、図３（Ａ）は正しい原稿の向きを、図３（Ｂ）は誤った原稿の向きを示している。すなわち、この画像形成装置１では、片面原稿において画像を含む面が上側となる向きが原稿の正しい向きであり、画像を含む面が下側となる向きが原稿の誤った向きと定められている。
【００２７】
図３（Ａ）のように、片面原稿が正しく載置された場合、原稿の１枚目から順に画像の読み込みがなされる。この場合、図１の画像形成部５にて画像形成された用紙は、フェースダウンで排紙される。すなわち、原稿の１枚目から画像を含む面が下側となるように排紙されることになるので、原稿と画像が印刷された用紙との間でページの順序の整合性が保たれる。
【００２８】
一方、図３（Ｂ）のように、原稿の画像を含む面が下向きとなるよう誤って載置された場合、最後の原稿から画像の読み込みがなされることになる。この場合、例えば、原稿の読み込みが全て完了した後に、図１の画像形成部５にて画像形成された用紙は、最後に読み込んだ原稿すなわち原稿の１枚目からフェースダウンで順に排紙される。
【００２９】
図１の説明に戻る。上述の原稿読取部４は、２つのＣＣＤ４６、４７（図２参照）、ドライバ４ａ、プラテン原稿走査部駆動モータ４ｂ、ドライバ４ｃ、原稿搬送ローラー駆動モータ４ｄを備える。
【００３０】
原稿読取部４は、片面にのみ画像が含まれる片面原稿であっても、原稿の両面を読み取る処理を行う。また、原稿読取部４は、両面を読み取った原稿の枚数を計数する。
【００３１】
ドライバ４ａは、プラテン原稿走査部駆動モータ４ｂを制御するドライバである。プラテン原稿走査部駆動モータ４ｂは、図２の第１走査ユニット４４および第２走査ユニット４５を、原稿載置台１０に沿った副走査方向に移動させるモータである。ドライバ４ｃは、原稿搬送駆動モータ４ｄを制御するドライバである。原稿搬送駆動モータ４ｄは、原稿読取部４が有する各ローラーを駆動させるモータである。
【００３２】
画像形成部５、給紙部６、排紙部７はそれぞれ、ドライバ５ａ，６ａ，７ａと、用紙搬送ローラー駆動モータ５ｂ，６ｂ，７ｂを備える。
【００３３】
ドライバ５ａ，６ａ，７ａはそれぞれ、用紙搬送ローラー駆動モータ５ｂ，６ｂ，７ｂを制御するドライバである。用紙搬送ローラー駆動モータ５ｂ，６ｂ，７ｂはそれぞれ、画像形成部５、給紙部６、排紙部７が有する各ローラーを駆動させるモータである。
【００３４】
画像処理部８は、原稿読取部４が読み取った画像に対して、各種画像処理を施す処理部である。画像記憶部９は、画像処理が施された画像を記憶するメモリやハードディスクなどの装置である。
【００３５】
制御部１０は、画像形成装置１の各部を制御する処理部である。制御部５４は、ＣＰＵ（Central Processing Unit）やＲＯＭ（Read Only Memory）、ＲＡＭ（Random Access Memory）、Ｉ／Ｏ（input/output）インターフェースなどから構成される。
【００３６】
制御部１０は、向き判定部１０ａ、汚れ判定部１０ｂ、情報出力部１０ｃ、画像形成制御部１０ｄを備える。
【００３７】
向き判定部１０ａは、原稿読取部４により読み取られたページの両面の読み取り結果に基づいて、片面原稿を載置した際の原稿の面の向きが正しいか否かを判定する。
【００３８】
図４は、片面原稿の面の向きの判定方法の一例について説明する図である。図４（Ａ）には、原稿の面の向きが正しい場合の最初に読み取られた原稿の表面７０ａ、および、裏面７０ｂが示されている。なお、表面７０ａは、図２に示した第１の画像読取部４２により読み取られ、裏面７０ｂは、第２の画像読取部４３により読み取られる。
【００３９】
図４（Ａ）に示されるように、表面７０ａに画像が含まれており、裏面７０ｂに画像が含まれていない場合、向き判定部１０ａは、原稿の面の向きが正しいと判定する。図２において、原稿の表面が上向きとなるように載置された場合、第１の画像読取部４２により最初の原稿の表面が読み取られ、第２の画像読取部４３により最初の原稿の裏面が読み取られることになるからである。なお、向き判定部１０ａは、例えば、第１の画像読取部４２、第２の画像読取部４３により読み取られた原稿の白領域の割合を算出することにより、原稿に画像が含まれているか否かを判定する。
【００４０】
図４（Ｂ）には、原稿の面の向きが誤っている場合の最初に読み取られた原稿の表面７１ａ、および、裏面７１ｂが示されている。図４（Ｂ）に示されるように、表面７１ａに画像が含まれておらず、裏面７１ｂに画像が含まれている場合、向き判定部１０ａは、原稿の面の向きが誤りであると判定する。図２において、原稿の表面が下向きとなるように載置された場合、第１の画像読取部４２により最後の原稿の裏面が読み取られ、第２の画像読取部４３により最後の原稿の表面が読み取られることになるからである。
【００４１】
汚れ判定部１０ｂは、図２に示した第２の画像読取部４３による対向白板４８の読み取り結果に基づいて、第２の画像読取部４３の画像読取位置が汚れているか否かを判定する。
図５は、画像読取位置が汚れているか否かの判定方法の一例について説明する図である。第２の画像読取部４３による対向白板４８の読み取りの結果、図５（Ａ）に示されるように、閾値Ｔｈ以上の値が一様に入力された場合、汚れ判定部１０ｂは、汚れていないと判定する。一方、第２の画像読取部４３による対向白板４８の読み取りの結果、図５（Ｂ）に示されるように、閾値Ｔｈ以下の入力がある場合、汚れ判定部１０ｂは、汚れていると判定する。
【００４２】
情報出力部１０ｃは、操作パネル部２を制御して、操作パネル部２に種々の情報を出力させる処理部である。例えば、情報出力部１０ｃは、向き判定部１０ａにより原稿の面の向きが正しくないと判定され、汚れ判定部１０ｂにより第２の画像読取部４３の読取位置すなわち裏面読取位置が汚れていると判定された場合、原稿の面の向きが間違っており上記裏面読取位置が汚れていることを知らせる通知情報を操作パネル２に表示させる。
【００４３】
図６は、原稿の面の向きが間違っており裏面読取位置が汚れていることを知らせる通知情報の一例について説明する図である。図６（Ａ）には、操作パネル部２に表示される通知情報８０の一例が示されている。この通知情報８０には、原稿を載置した際の原稿の面の向きが誤っていることを通知するメッセージと、裏面読取位置が汚れていることを通知するメッセージと、汚れの無い印刷物を得ることが可能な原稿の面の向きの情報が含まれる。
【００４４】
このように、画像形成装置１では、原稿の面の向きが間違っており裏面読取位置が汚れている際、その旨を知らせる通知情報を表示させるので、ユーザはそのメッセージの確認後、正しい向きに原稿をセットし汚れの無い綺麗な印刷物を得ることができる。なお、画像形成装置１では、表面読取位置の汚れについては簡単に除去することができるので、簡単に汚れを除去することができない裏面読取位置が汚れている場合にのみユーザに報知するようにしている。
【００４５】
図６（Ｂ）には、図６（Ａ）のものとは別の例の通知情報８１が示されている。この通知情報８１には、図６（Ａ）の通知情報８０に含まれるものに加えて、原稿の面の向きが誤ったままで且つ裏面読取位置が汚れたままでコピー処理を継続するか否かの指示をユーザから受け付ける継続指示受付ボタン８１ａ、コピー処理の中止指示をユーザから受け付けるコピー中止指示受付ボタン８１ｂが表示される。
【００４６】
図６（Ｃ）には、図６（Ｂ）の通知情報８１に表示されるコピー中止指示受付ボタン８１ｂがユーザにより押下された場合に表示される指示メッセージ表示画面８２が示されている。この指示メッセージ表示画面８２には、読み込み面を上向きにして原稿を載置することを指示するメッセージと、ＯＫボタン８２ａが表示される。ＯＫボタン８２ａがユー
ザにより押下されると、このコピー処理がキャンセルされる。
【００４７】
図７は、原稿の面の向きが間違っており裏面読取位置が汚れていることを知らせる通知情報の他の例について説明する図である。
図７（Ａ）の例の通知情報９０には、図６（Ｂ）の通知情報８１に表示されるものに加えて、最初に読み取った原稿の表面および裏面のプレビュー表示を行う指示をユーザから受け付けるプレビュー確認ボタン９０ａが表示される。
【００４８】
図７（Ｂ）には、プレビュー確認ボタン９０ａがユーザにより押下された場合に表示されるプレビュー確認画面９１が示されている。このプレビュー確認画面８１には、最初に読み取った原稿の表面の読み取り結果９１ａと裏面の読み取り結果９１ｂが表示される。この例では、原稿の面の向きが誤っていたため、表面の読み取り結果９１ａには画像が含
まれず、裏面の読み取り結果９１ｂに画像が含まれており、また、ユーザは、裏面の読み取り結果９１ｂから汚れ９１ｃの程度を確認することができる。
【００４９】
また、プレビュー確認画面９１には、戻るボタン９１ｄが表示される。戻るボタン９１ｄがユーザにより押下されると、図７（Ａ）に示した通知情報９０が再度操作パネル部２に表示される。
【００５０】
画像形成制御部１０ｄは、画像形成部５が行う画像形成処理を制御する処理部である。載置された片面原稿の向きが正しいと向き判定部１０ｂにより判定された場合に、原稿読取部４により読み取られた画像を即座に印刷する処理を画像形成部５に実行させる。
【００５１】
なお、画像処理部８、制御部１０は、外部機器６０と接続され、画像処理後の画像データを外部機器６０に出力したり、外部機器６０から画像データを取得したりすることができる。
【００５２】
図８は、図１の画像形成装置１において片面原稿を読み取って片面印刷する処理の一例を示すフローチャートである。
まず、画像形成装置１は、原稿読取部４により片面原稿の１枚目の両面を読み取る（ステップＳ１）。
そして、向き判定部１０ａにより、原稿の面の向きが正しいか否か、すなわち、画像を含んでいる面が上向きとなるように原稿が載置されているか否かを判定する（ステップＳ２）。その際、原稿読取部４における原稿の搬送を一時的に停止する。
【００５３】
原稿の面の向きが正しい場合（ステップＳ２，ＹＥＳの場合）、１枚目の原稿の画像を印刷するとともに、原稿読取部４における片面原稿の搬送を再開し、片面原稿の表面を第１の画像読取部４２により順次読み取り、読み取った画像を画像形成部５により順次印刷する（ステップＳ３）。
【００５４】
原稿の面の向きが誤っている場合（ステップＳ２，ＮＯの場合）、汚れ判定部１０ｂにより、第２の画像読取部４３による対向白板４８の読み取り結果に基づいて、第２の画像読取部４３の画像読取位置すなわち裏面読取位置が汚れているか否かを判定する（ステップＳ４）。なお、第２の画像読取部４３による対向白板４８の読み取りは、コピージョブが入力される前に行なってもよいし、また、コピージョブが入力された後でステップＳ１の処理を行なう前もしくは後に行なってもよい。
【００５５】
裏面読取位置が汚れていない場合（ステップＳ４，ＮＯの場合）、原稿読取部４における片面原稿の搬送を再開し、片面原稿の裏面を第２の画像読取部４３により順次最後まで読み取り（ステップＳ５）、画像形成部５を用いて、最後に読取った原稿から順に画像を印刷する（ステップＳ６）。
【００５６】
裏面読取位置が汚れている場合（ステップＳ４，ＹＥＳの場合）、図６（Ｂ）に示したような通知情報８１を表示する（ステップＳ７）。
そして、継続指示受付ボタン８１ａ、あるいは、コピー中止指示受付ボタン８１ｂのいずれがユーザにより押下されたかを検出することにより、コピー処理を継続する指示がユーザによりなされたか否かを判定する（ステップＳ８７）。
【００５７】
コピー処理を継続する指示がユーザによりなされなかった場合（ステップＳ８，ＮＯの場合）、図６（Ｃ）に示したように、読み込み面を上向きにして原稿を載置することを指示するメッセージを含む指示メッセージ表示画面８２を表示し（ステップＳ９）、このコピー処理を終了する。
【００５８】
一方、コピー処理を継続する指示がユーザによりなされた場合（ステップＳ８，ＹＥＳの場合）、ステップＳ５に処理を移行し、片面原稿の裏面を第２の画像読取部４３により順次最後まで読み取り、その後、画像形成部５を用いて、最後に読取った原稿から順に画像を印刷する。
【００５９】
以上、本発明の実施形態について説明したが、本発明は上述した実施形態に限定されず、本発明の要旨を逸脱しない範囲内で各種の変形、修正が可能である。
【００６０】
例えば、図８のステップＳ２では、１枚目の原稿を用いて、原稿の向きが正しいか否かを判定することとしたが、２枚目以降の原稿を用いて上記判定を行うこととしてもよい。原稿の１枚目には、表表紙が含まれる場合があるため、このような処理を行う。これにより、より確実に原稿の載置された向きを判定することができる。
【符号の説明】
【００６１】
１…画像形成装置、２…操作パネル部、３…光学センサ部、４…原稿読取部、５…画像形成部、６…給紙部、７…排紙部、８…画像処理部、９…画像記憶部、１０…制御部、１０ａ…向き判定部、１０ｂ…汚れ判定部、１０ｃ…情報出力部、１０ｄ…画像形成制御部。
【図１】
2013092596.tif 000003
【図２】
2013092596.tif 000004
【図３】
2013092596.tif 000005
【図４】
2013092596.tif 000006
【図５】
2013092596.tif 000007
【図６】
2013092596.tif 000008
【図７】
2013092596.tif 000009
【図８】
2013092596.tif 000010